(57)【要約】【課題】簡素な構造で種々の接地条件による電磁力に耐え得る接地導体の固定方法を提供する。【解決手段】箱体１に収納される収納機器１２、１４と、収納機器１２、１４を接地する接地導体２０と、接地導体２０に第１のボルト２４で締付け固定された支持板２３と、支持板２３が第２のボルト２６で締付け固定される箱体１に固定されたアングル２５とを備え、第１のボルト２４が貫通する接地導体２０と支持板２３との孔を、少なくとも一ランク上のボルトが貫通できるように大きくしたことを特徴とする。【選択図】図２
2009106109.tif 000002
【特許請求の範囲】
【請求項１】
箱体に収納される収納機器と、
前記収納機器を接地する接地導体と、
前記接地導体に第１のボルトで締付け固定された支持板と、
前記支持板が第２のボルトで締付け固定される前記箱体に固定されたアングルとを備え、
前記第１のボルトが貫通する前記接地導体と前記支持板との孔を、少なくとも一ランク上のボルトが貫通できるように大きくしたことを特徴とする金属閉鎖形スイッチギヤ。
【請求項２】
前記第１のボルトはＭ１０であり、
前記孔の大きさをＭ１２のボルトが貫通できるようにしたことを特徴とする請求項１に記載の金属閉鎖形スイッチギヤ。
【請求項３】
前記接地導体と前記支持板、および前記支持板と前記アングルを同一のボルトで締付け固定したことを特徴とする請求項１または請求項２に記載の金属閉鎖形スイッチギヤ。
【請求項４】
前記支持板を銅板で構成したことを特徴とする請求項１乃至請求項３のいずれか１項に記載の金属閉鎖形スイッチギヤ。
【請求項５】
前記箱体の内面に金属メッキを施したことを特徴とする請求項１乃至請求項４のいずれか１項に記載の金属閉鎖形スイッチギヤ。
【発明の詳細な説明】
【技術分野】
【０００１】
本発明は、地絡電流の通電を可能とする接地回路を備えた金属閉鎖形スイッチギヤに関する。
【背景技術】
【０００２】
従来の金属閉鎖形スイッチギヤには、真空遮断器などの収納機器の接地端子を接地する接地回路が設けられ、事故時などに発生する地絡電流が通電できるようになっている（例えば、特許文献１参照）。
【０００３】
地絡電流は、電力系統の接地方式や保護協調方式などによって異なり、金属閉鎖形スイッチギヤにおいても、それに耐え得るものにしなければならない。地絡電流値とその継続時間は、ＪＥＣ規格やＩＥＣ規格などに規定され、例えば、電流値２５ｋＡでは継続時間１秒、３秒などがある。
【特許文献１】特開２００４−１６６３９０号公報  （第４〜５ページ、図１）
【発明の開示】
【発明が解決しようとする課題】
【０００４】
上記の従来の金属閉鎖形スイッチギヤにおいては、次のような問題がある。接地回路を地絡電流による電磁力に耐え得るものにするものの、電力系統の接地方式や保護協調方式などによって種々異なった構造としなければならなかった。ここで、接地方式や保護協調方式によって異なる地絡電流値とその継続時間とを接地条件と言う。そして、地絡電流値が大きく、継続時間が長くなると、より強固に固定しなければならず、構造が複雑化していた。このため、簡素な構造で種々の接地条件に対応できるものが望まれていた。
【０００５】
本発明は上記問題を解決するためになされたもので、簡素な構造で種々の接地条件に対応できる機械的強度を有する接地回路を備えた金属閉鎖形スイッチギヤを提供することを目的とする。
【課題を解決するための手段】
【０００６】
上記目的を達成するために、本発明の金属閉鎖形スイッチギヤは、箱体に収納される収納機器と、前記収納機器を接地する接地導体と、前記接地導体に第１のボルトで締付け固定された支持板と、前記支持板が第２のボルトで締付け固定される前記箱体に固定されたアングルとを備え、前記第１のボルトが貫通する前記接地導体と前記支持板との孔を、少なくとも一ランク上のボルトが貫通できるように大きくしたことを特徴とする。
【発明の効果】
【０００７】
本発明によれば、接地回路を構成する接地導体を、少なくとも一ランク上のボルトが貫通可能な構造とし、締付け固定しているので、接地導体の断面積などの形状を変更することなく、簡素な構造で種々の地絡電流値とその継続時間による電磁力に耐え得るものにすることができる。
【発明を実施するための最良の形態】
【０００８】
以下、図面を参照して本発明の実施例を説明する。
【実施例１】
【０００９】
先ず、本発明の実施例１に係る金属閉鎖形スイッチギヤを図１乃至図３を参照して説明する。図１は、本発明の実施例１に係る金属閉鎖形スイッチギヤの構成を示す側面図、図２は、本発明の実施例１に係る金属閉鎖形スイッチギヤの背面側の拡大図、図３は、本発明の実施例１に係る金属閉鎖形スイッチギヤの接地導体の固定部分を示す断面図である。
【００１０】
図１に示すように、箱体１内は、図示中間部の隔壁２を境として、図示左側で正面側の遮断器室１ａ、図示右側上段で背面側の母線室１ｂ、図示右側上段から下段に形成された背面側のケーブル室１ｃに分かれて構成されている。
【００１１】
遮断器室１ａには、引出形の真空遮断器３が設けられ、上部主回路導体４が隔壁２に貫通固定された上部主回路断路部５に接続されている。下部主回路導体６は、隔壁２に貫通固定された下部主回路断路部７に接続されている。真空遮断器３の接地端子は、箱体１の床面側に伸びた銅板の第１の接地導体８で接地されている。９は、真空遮断器３などを監視、開閉制御する制御部である。
【００１２】
母線室１ｂには、上部主回路断路部５に接続された三相分の母線１０が設けられ、隣接盤との接続が行われる。
【００１３】
ケーブル室１ｃには、下部主回路断路部７に接続導体１１で接続された変流器１２が設けられている。変流器１２には、床面側でコ字状に曲折した接続導体１３が接続され、支持がいし１４に固定されている。更に、接続導体１３端には、母線室１ｂ側でコ字状に曲折した接続導体１５が接続され、支持がいし１６に固定されている。接続導体１５端には、ケーブル１７が接続される。
【００１４】
ケーブル室１ｃの床面側には、遮断器室１ａから箱体１の背面側に伸び、床面と略平行に配置された銅板の第２の接地導体１８が設けられている。第２の接地導体１８の一方端は第１の接地導体８端に接続され、中間部は床面に固定された鋼板からなる支持板１９に固定されている。
【００１５】
第２の接地導体１８の他方端には、図２に示すように、床面と略平行に配置された銅板の第３の接地導体２０と接地極に接続される銅板の第４の接地導体２１とがボルト２２で締付け固定されている。第３の接地導体２０には、両端近傍に鋼板からなる支持板２３が設けられ、支持板２３の一方端がボルト２４（第１のボルト）で締付け固定されている。また、支持板２３の他方端は、床面に固定された鋼板からなるＬ字状のアングル２５にボルト２６（第２のボルト）で締付け固定されている。
【００１６】
ここで、第３の接地導体２０と支持板２３は、図３に示すように、ボルト２４とナット２７の大きさを変更しても貫通可能な大きさの孔２８、２９を設けている。例えば、地絡電流２５ｋＡ−継続時間１秒ではＭ１０ボルトを用い、継続時間３秒ではＭ１２ボルトを用いる場合、孔２８、２９の大きさはＭ１２ボルトが貫通できるものとしている。なお、支持板２３とアングル２５との固定や、第２の接地導体１８と支持板１９との固定などにおいても同様な固定を行ってもよい。
【００１７】
これにより、箱体１内には、第１の接地導体８、第２の接地導体１８、第３の接地導体２０、第４の接地導体２１で接地回路が形成され、真空遮断器３、変流器１２などの収納機器で事故が発生したとき、地絡電流が通電されることになる。この場合、地絡電流値が小さくその継続時間が短いものでは、小さいボルトとナットを用い、地絡電流値が大きくなったり継続時間が長くなったりするものでは、大きいボルトとナットを用い、接地回路の固定の機械的強度を容易に変更できるものとしている。これらのボルトとナットは、接地回路で同一のものを用いるとよい。
【００１８】
具体的には、孔２８、２９の大きさをＭ１２ボルトが貫通できるようにしておき、接地回路の導体形状を変更せずに、継続時間１秒ではＭ１０ボルトを用い、継続時間３秒ではＭ１２ボルトを用いて締付け固定する。即ち、第３の接地導体２０と支持板２３とに少なくとも一ランク上のボルトが貫通することができる孔２８、２９を形成する。継続時間１秒は下位の保護装置が用いられている電力系統に多く、継続時間３秒は上位の電力系統に多く、また、接地方式が直接接地では地絡電流が大きく、中性点接地では地絡電流が小さくなるが、これらの接地回路の接地導体８、１８、２０、２１を同様の形状とし、ボルト２４とナット２７のみの変更で対応するものとする。なお、地絡電流値などが更に大きくなるものでは、更に一ランク上のＭ１４ボルトを用いる。
【００１９】
上記実施例１の金属閉鎖形スイッチギヤによれば、接地回路を構成する第３の接地導体２０と支持板２３に、少なくとも一ランク上のボルト２４が貫通可能な孔２８、２９を設けているので、第３の接地導体２０の断面積などの形状を変更することなく、機械的強度を変更することができ、簡素な構造で種々の地絡電流値とその継続時間に対応が可能な接地回路とすることができる。
【実施例２】
【００２０】
次に、本発明の実施例２に係る金属閉鎖形スイッチギヤを図４を参照して説明する。図４は、本発明の実施例２に係る金属閉鎖形スイッチギヤの背面側の拡大図である。なお、この実施例２が実施例１と異なる点は、支持板の材質である。図４において、実施例１と同様の構成部分においては、同一符号を付し、その詳細な説明を省略する。
【００２１】
図４に示すように、第３の接地導体２０には、銅板からなる幅広の支持板３０がボルト２４により締付固定されている。なお、Ｌ字状のアングル３１も銅板を略直角に曲折させたものを用いてもよいし、鋼板のものに金属メッキを施してもよい。
【００２２】
これにより、地絡電流は、第３の接地導体２０から第４の接地導体２１に流れるとともに、支持板３０を介して箱体１側にも分流することになる。このため、接地回路に流れる地絡電流が少なくなり、電磁力が抑制されるとともに、温度上昇を抑制することができる。なお、箱体１に分流した地絡電流は、図示しない他の接地導体を介して接地極に流れるので、当該金属閉鎖形スイッチギヤ以外の接地回路に与える影響は少ない。
【００２３】
上記実施例２の金属閉鎖形スイッチギヤによれば、実施例１による効果のほかに、接地回路が受ける電磁力が抑制される。
【実施例３】
【００２４】
次に、本発明の実施例３に係る金属閉鎖形スイッチギヤを図５を参照して説明する。図５は、本発明の実施例３に係る金属閉鎖形スイッチギヤの背面側の拡大図である。なお、この実施例３が実施例２と異なる点は、箱体の内面に金属メッキを施したことである。図５において、実施例２と同様の構成部分においては、同一符号を付し、その詳細な説明を省略する。
【００２５】
図５に示すように、箱体１の内面の全域には、亜鉛などの金属材料からなるメッキ層３２を設けている。メッキ層３２は、金属メッキを施した鋼板を用いて、箱体１を構成すれば容易に設けることができる。
【００２６】
これにより、地絡電流は、第３の接地導体２０から第４の接地導体２１に流れるとともに、支持板３０を介してメッキ層３２を施した箱体１全面に分流する。分流する電流は、実施例２よりも大きくなる。
【００２７】
上記実施例３の金属閉鎖形スイッチギヤによれば、実施例２と同様の効果を得ることができる。
【図面の簡単な説明】
【００２８】
【図１】本発明の実施例１に係る金属閉鎖形スイッチギヤの構成を示す側面図。
【図２】本発明の実施例１に係る金属閉鎖形スイッチギヤの背面側の拡大図。
【図３】本発明の実施例１に係る金属閉鎖形スイッチギヤの接地導体の固定部分を示す断面図。
【図４】本発明の実施例２に係る金属閉鎖形スイッチギヤの背面側の拡大図。
【図５】本発明の実施例３に係る金属閉鎖形スイッチギヤの背面側の拡大図。
【符号の説明】
【００２９】
１  箱体
１ａ  遮断器室
１ｂ  母線室
１ｃ  ケーブル室
２  隔壁
３  真空遮断器
４、６  主回路導体
５、７  主回路断路部
８  第１の接地導体
９  制御部
１０  母線
１１、１３、１５、  接続導体
１２  変流器
１４、１６  支持がいし
１７  ケーブル
１８  第２の接地導体
１９、２３、３０  支持板
２０  第３の接地導体
２１  第４の接地導体
２２、２４、２６  ボルト
２５、３１  アングル
２７  ナット
２８、２９  孔
３２  メッキ層
【図１】
2009106109.tif 000003
【図２】
2009106109.tif 000004
【図３】
2009106109.tif 000005
【図４】
2009106109.tif 000006
【図５】
2009106109.tif 000007